(57)【要約】【課題】停電発生時に用いられる非常用バッテリの電力消費を抑え、停電灯をより長く安定して点灯させることのできる停電灯制御装置を提供する。【解決手段】停電発生時に所定容量を有する非常用バッテリ１６を駆動源として停電灯１５が点灯駆動されときに、タイマリレー２１にて非常用バッテリ１６の放電電圧を監視し、停電灯１５の点灯駆動に必要な電圧値を有した状態で所定時間経過したときに接点２１ａを定電流回路２２側に切り替えることで、停電灯１５の照度が物体を視覚にて認知できる程度（暗すぎない程度）に停電灯１５に供給される電流を通常点灯時よりも低く抑えるように制御する。これにより、停電発生時における非常用バッテリ１６の電力消費を抑えて、停電灯１５をより長く安定して点灯させることができる。【選択図】      図１
2005197110.tif 000002
【特許請求の範囲】
【請求項１】
所定容量のバッテリと、
停電発生時に上記バッテリを駆動源として点灯駆動される停電灯と、
この停電灯が点灯駆動されてから所定のタイミングで上記停電灯の照度が物体を視覚にて認知できる程度に上記停電灯に供給される電流を低く抑えるように制御する電流制御手段と
を具備したことを特徴とする停電灯制御装置。
【請求項２】
上記電流制御手段は、上記停電灯が点灯駆動されてから上記非常用バッテリの放電電圧が上記停電灯の点灯駆動に必要な電圧値を有した状態で所定時間経過したときに、上記停電灯の照度が物体を視覚にて認知できる程度に上記停電灯に供給される電流を低く抑えるように制御することを特徴とする請求項１記載の停電灯制御装置。
【請求項３】
上記電流制御手段は、上記停電灯が点灯駆動されてから上記非常用バッテリの放電電圧が予め設定された電圧値まで低下したときに、上記停電灯の照度が物体を視覚にて認知できる程度に上記停電灯に供給される電流を低く抑えるように制御することを特徴とする請求項１記載の停電灯制御装置。
【請求項４】
上記電流制御手段は、上記停電灯が点灯駆動されてから上記非常用バッテリの放電電圧が上記停電灯の点灯駆動に必要な電圧値を有した状態で所定時間経過するか、または、上記停電灯が点灯駆動されてから上記非常用バッテリの放電電圧が予め設定された電圧値まで低下したときに、上記停電灯の照度が物体を視覚にて認知できる程度に上記停電灯に供給される電流を低く抑えるように制御することを特徴とする請求項１記載の停電灯制御装置。
【請求項５】
上記非常用バッテリの放電電圧が放電終止電圧値まで低下したときに、当該バッテリの放電動作を停止制御する放電停止手段をさらに具備したことを特徴とする請求項１乃至４のいずれかに記載の停電灯制御装置。
【請求項６】
上記電流制御手段は、上記非常用バッテリを駆動源として複数個の停電灯が点灯駆動される場合に、これらの停電灯に対する電流制御を同時に行うことを特徴とする請求項１乃至４のいずれかに記載の停電灯制御装置。
【請求項７】
上記停電灯は、エレベータのかご室内に設置されていることを特徴とする請求項１乃至３のいずれかに記載の停電灯制御装置。
【発明の詳細な説明】
【技術分野】
【０００１】
本発明は、例えばエレベータのかご室内に設置された停電灯の駆動を制御する停電灯制御装置に関する。
【背景技術】
【０００２】
エレベータでは、停電発生時に乗りかご内に設置された停電灯を点灯させるために、非常用バッテリが装備されており、この非常用バッテリを用いて停電灯の点灯に必要な電力の供給を行っている（例えば、特許文献１参照）。
【０００３】
図７はこのような非常用バッテリを備えたエレベータの停電灯制御装置の従来構成を示す回路図であり、図７（ａ）はかご室照明灯回路、同図（ｂ）は停電灯点灯回路を示している。
【０００４】
かご室照明灯１１は、照明点灯スイッチ１２ａをオンすることで、電源１３からの電力を受けて点灯する。このかご室照明灯１１の点灯中（つまり、照明点灯スイッチ１２ａがオンしているとき）には、電源１３に接続された停電検出リレー１４がオンしており、その接点１４ａが開放状態にある。したがって、かご室内に設置された停電灯１５は消灯している。
【０００５】
ここで、停電が発生すると、停電検出リレー１４がオフし、その接点１４ａを閉じる。これにより、非常用電源として装備されたバッテリ１６の放電動作が開始され、かご室内の停電灯１５がその電力を受けて点灯することになる。
【０００６】
なお、停電灯点灯回路側の照明点灯スイッチ１２ｂは、かご室照明灯１１の点灯させるときにかご室照明灯回路側の照明点灯スイッチ１２ａと共にオンし、そして、停電発生時にもそのオン状態を維持している。したがって、かご室照明灯１１が点灯している状態で停電が発生したときにのみ、停電灯１５は非常用バッテリ１６からの電力を受けて点灯することになる。
【特許文献１】特開平７−３３０２４０号公報
【発明の開示】
【発明が解決しようとする課題】
【０００７】
しかしながら、図７に示すような従来の構成では、停電発生時に常に所定のかご床面照度を十分に満たすべき電力が消費され続けることになる。したがって、例えば長時間の停電が発生して、かご室内の十分な照度よりも点灯時間の方が優先されるべき状況にあったとしても、非常用バッテリ１６は一定の負荷で放電し続けることになり、早々と放電終止電圧に達してしまい、停電灯１５を点灯できない状況になる。なお、「放電終止電圧」とは、非常用バッテリ１６の容量不足により放電が終止した状態を示し、その電圧値は非常用バッテリ１６の容量によって一意的に決定される。
【０００８】
このような場合、特にエレベータでは、かご室という密閉された狭い部屋の中に乗客を暗闇状態で長時間閉じ込めてしまうことになるため、非常用バッテリ１６の電力消費をできるだけ抑えて、停電灯１５の点灯時間を長くして乗客に不安感を与えないことが求められる。
【０００９】
本発明は上記のような点に鑑みなされたもので、停電発生時に用いられる非常用バッテリの電力消費を抑え、停電灯をより長く安定して点灯させることのできる停電灯制御装置を提供することを目的とする。
【課題を解決するための手段】
【００１０】
本発明の停電灯制御装置は、所定容量のバッテリと、停電発生時に上記バッテリを駆動源として点灯駆動される停電灯と、この停電灯が点灯駆動されてから所定のタイミングで上記停電灯の照度が物体を視覚にて認知できる程度に上記停電灯に供給される電流を低く抑えるように制御する電流制御手段とを具備して構成される。
【００１１】
このような構成によれば、停電発生時に停電灯がバッテリを駆動源として点灯すると、所定のタイミングで上記停電灯の照度が物体を視覚にて認知できる程度（つまり暗すぎない程度）に上記停電灯に供給される電流が通常点灯時よりも低く抑えられる。これにより、停電発生時における非常用バッテリの電力消費を抑えて、停電灯をより長く安定して点灯させることができる。
【００１２】
上記所定のタイミングとは、上記停電灯が点灯駆動されてから上記非常用バッテリの放電電圧が上記停電灯の点灯駆動に必要な電圧値を有した状態で所定時間経過したとき、または、上記停電灯が点灯駆動されてから上記非常用バッテリの放電電圧が予め設定された電圧値まで低下したときである。
【００１３】
また、上記停電灯制御装置において、上記非常用バッテリの放電電圧が放電終止電圧値まで低下したときに、当該バッテリの放電動作を停止制御する放電停止手段をさらに具備したことを特徴とする。
【００１４】
このような構成によれば、停電灯を点灯させることができない状態での無駄な放電を防ぐことができる。これにより、非常用バッテリの過放電による内部劣化を防ぎ、バッテリの長寿命化を図ることができる。
【００１５】
また、上記停電灯制御装置において、上記電流制御手段は、上記非常用バッテリを駆動源として複数個の停電灯が点灯駆動される場合に、これらの停電灯に対する電流制御を同時に行うことを特徴とする。これにより、停電発生時に複数個の停電灯を点灯する場合に、これらの駆動源となる非常用バッテリの電力消費を抑えて、これらの停電時間を延ばすことができる。
【００１６】
また、上記停電灯制御装置において、上記停電灯は、エレベータのかご室内に設置されていることを特徴とする。これにより、エレベータのかご室内に設置された停電灯を点灯駆動する場合に、その駆動源となる非常用バッテリの電力消費を抑えて、その電灯時間を延ばすことができ、停電発生時にかご室内に閉じ込められた乗客の不安を軽減することができる。
【発明の効果】
【００１７】
本発明の停電灯制御装置によれば、停電発生時に非常用バッテリを用いて停電灯を点灯駆動したときに、所定のタイミングで上記停電灯の照度が物体を視覚にて認知できる程度に上記停電灯に供給される電流を低く抑えるように制御することで、停電発生時における非常用バッテリの電力消費を極力抑えて、停電灯をより長く安定して点灯させることができる。
【００１８】
したがって、例えばエレベータのかご室内において、停電の復旧が長引いた場合などに、停電灯の照度よりも点灯時間を優先して点灯駆動することができ、その結果、かご室内に閉じ込められた乗客の不安を軽減することができる。
【発明を実施するための最良の形態】
【００１９】
以下、図面を参照して本発明の実施形態を説明する。
【００２０】
（第１の実施形態）
図１は本発明の第１の実施形態に係るエレベータの停電灯制御装置の構成を示す回路図であり、図１（ａ）はかご室照明灯回路、同図（ｂ）は停電灯点灯回路を示している。なお、図７と共通の部分には同一符号を付して説明する。
【００２１】
かご室照明灯回路１は、かご室照明灯１１、照明点灯スイッチ１２ａ、電源１３、停電検出リレー１４から構成される。
【００２２】
かご室照明灯１１は、照明点灯スイッチ１２ａをオンすることで、電源１３からの電力供給を受けて点灯する。また、停電検出リレー１４は、電源１３の無電力供給状態つまり停電状態を検出する。
【００２３】
一方、停電灯点灯回路２には、非常用バッテリ１６、停電灯１５、照明点灯スイッチ１２ｂ、接点１４ａが備えられている。
【００２４】
非常用バッテリ１６は、停電発生時に用いられる駆動源であり、所定の容量を有して停電灯１５に対する電力供給を行う。停電灯１５は、この非常用バッテリ１６からの電力供給を受けて点灯する。照明点灯スイッチ１２ｂは、照明点灯スイッチ１２ａと連動しており、照明点灯スイッチ１２ａと共にオンする。接点１４ａは、非常用バッテリ１６と停電灯１５との間に設けられており、通常は開放状態にあり、停電検出リレー１４にて停電が検出された際に閉じるように構成されている。
【００２５】
また、この停電灯点灯回路２には、上記構成に加えて、停電灯１５の点灯時間を延ばすための制御手段として、タイマリレー２１、接点２１ａ、定電流回路２２が備えられている。
【００２６】
タイマリレー２１は、停電発生時に非常用バッテリ１６の放電電圧を監視し、その放電電圧が停電灯１５の点灯駆動に必要な電圧値を有した状態、つまり、放電終止電圧Ｖ０を上回っている状態で所定時間経過したときに、停電灯点灯回路２に定電流回路２２を接続するように接点２１ａを切り替える。
【００２７】
なお、「放電終止電圧」とは、既に説明したように、非常用バッテリ１６の容量不足により放電が終止した状態を示し、その電圧値は非常用バッテリ１６の容量によって一意的に決定される。
【００２８】
定電流回路２２は、停電灯１５に供給される電流を通常点灯時よりも低く抑えるように制御するための回路であり、シェナーダイオード２３、抵抗２４、２５、トランジスタ２６から構成される。この定電流回路２２は、停電灯点灯回路２に印加される電圧を電源として動作し、この電圧値とは無関係に停電灯点灯回路２の回路電流を所定値に制限して、停電灯１５をかご室内の乗客が物体を視覚にて認知できる程度つまり暗すぎない程度に点灯させる。なお、図１のようなシェナーダイオードを用いた構成の他に、例えばＰＷＭ（pulse width modulation）制御によるパルス駆動回路や、電流制限抵抗に置き換えた構成とすることも可能である。
【００２９】
また、タイマリレー２１がオフしている場合には、その接点２１ａは停電灯点灯回路２から定電流回路２２を切り離す側に位置している。この状態では、停電灯点灯回路２は図７の従来例と同様の構成となり、非常用バッテリ１６は一定の電力を停電灯１５に供給し続けることになる。
【００３０】
次に、上記構成のエレベータの停電灯制御装置の動作について説明する。
【００３１】
図２は第１の実施形態におけるエレベータの停電灯制御装置の処理動作を示すフローチャートである。
【００３２】
照明点灯スイッチ１２ａの投入に伴い、電源１３により所定の電力がかご室照明灯１１に供給されてかご室照明灯１１が点灯駆動される。ここで、何らかの要因で電源１３の停電が発生すると、かご室照明灯１１が消灯する。そして、このときの状態（つまり無電力供給状態）が停電検出リレー１４によって検出され、停電灯点灯回路２に設けられた接点１４ａが閉じられる。これにより、非常用バッテリ１６を駆動源として、その電力が停電灯１５に供給されて停電灯１５が所定の照度で点灯することになる。
【００３３】
停電発生時に非常用バッテリ１６を駆動源として停電灯１５が点灯駆動されると、タイマリレー２１にそのときの非常用バッテリ１６の放電電圧が入力される。タイマリレー２１はその入力電圧（バッテリ電圧）を予め設定された非常用バッテリ１６の放電終止電圧Ｖ０と比較する（ステップＡ１１）。
【００３４】
上記ステップＡ１１での比較の結果、入力電圧が放電終止電圧Ｖ０を超えていれば（ステップＡ１１のＹｅｓ）、非常用バッテリ１６が停電灯１５の駆動に必要な電圧値を有ししているものとして、タイマリレー２１は現時点からの経過時間のカウントを開始する（ステップＡ１２）。そして、タイマリレー２１は、そのカウントされた時間が予め設定された時間Ｔｋに達したか否かを監視する（ステップＡ１３）。
【００３５】
なお、上記時間Ｔｋは任意に設定可能であるが、通常、停電してから３０分間は１ルックスの照度を保って点灯することが義務づけられているため、その時間に合わせて、例えば３０分をＴｋとして設定しておくものとする。
【００３６】
カウントされた時間が上記時間Ｔｋに達するまでは、タイマリレー２１への入力電圧が放電終止電圧Ｖ０を下回らない限り、時間をカウントし続ける。この間、タイマリレー２１はオフしている（ステップＡ１３→Ａ１４→Ａ１１→Ａ１２）。なお、時間カウント中にタイマリレー２１の入力電圧が放電終止電圧Ｖ０を下回った場合には（ステップＡ１１のＮｏ）、それまでにカウントされた時間はクリアされる（ステップＡ１５）。
【００３７】
カウントされた時間が上記時間Ｔｋに達した場合、つまり、停電灯１５の点灯開始から所定レベル以上の給電状態が上記時間Ｔｋの間連続して行われたときに（ステップＡ１３のＹｅｓ）、タイマリレー２１はオン動作し、そのタイマリレー２１に連動した接点２１ａが定電流回路２２側へ切り替わって、停電灯点灯回路２の回路電流が制限される（ステップＡ１６）。
【００３８】
すなわち、停電灯１５の点灯開始から所定時間Ｔｋを経過した時点で、接点２１ａの切り替えによって定電流回路２２による電流制御機能が働き、非常用バッテリ１６によって停電灯１５に供給可能な電流の値が通常点灯時よりも低い値に制限されることになる。この場合、タイマリレー２１の接点２１ａは、タイマリレー２１への入力電圧（つまりバッテリ電圧）が放電終止電圧Ｖ０を下回るまでの間は定電流回路２２側に維持されるため、停電灯１５では非常用バッテリ１６の放電電圧に左右されずに一定の電力が消費されることになる。
【００３９】
一方、入力電圧が放電終止電圧Ｖ０以下になると（ステップＡ１１のＮｏ）、タイマリレー２１はオフし、接点２１ａは定電流回路２２側へは接続されず、停電灯点灯回路２は停電灯１５のみを負荷として電力を消費する（ステップＡ１４）。ただし、このときには非常用バッテリ１６の放電電圧は放電終止電圧Ｖ０以下であり、停電灯１５の駆動に必要な電力を満たさないため、停電灯１５を点灯させることはできない。
【００４０】
なお、停電が発生していない場合も停電検出リレー１４の接点１４ａは開放されているため、タイマリレー２１には電圧が入力されず、タイマリレー２１はオフしていることになる（ステップＡ１１→Ａ１５→Ａ１４）。
【００４１】
図３は第１の実施形態におけるエレベータの停電灯制御装置の非常用バッテリ１６の放電電流と経過時間との関係を示す図であり、図中の点線は定電流回路２２を持たない従来構成による特性を示している。
【００４２】
図３に示すように、停電発生時に非常用バッテリ１６が停電灯１５を負荷として放電した場合に、その放電を開始してから予め設定された時間Ｔｋが経過したときのタイミングで、定電流回路２２による電流制御機能が働いて、停電灯１５に対して供給される電流が一定値に抑えられる。したがって、常に一定の電力供給を行う従来構成に比べて、停電灯１５の照度は落ちるものの、その点灯時間を延長化することができる。これにより、停電の復旧が長引いた場合に、かご室内に閉じ込められた乗客の不安感を軽減することができる。
【００４３】
（第２の実施形態）
次に、本発明の第２の実施形態について説明する。
【００４４】
上記第１の実施形態では、定電流回路２２の作動条件を停電灯１５の点灯時間として、所定の時間Ｔｋが経過して時点で電流制御を行う構成としたが、第２の実施形態では、定電流回路２２の作動条件を非常用バッテリ１６の電圧値とする。
【００４５】
すなわち、第２の実施形態では、停電灯１５の点灯開始後、非常用バッテリ１６の電圧値が予め設定された基準電圧値（以下、設定値Ｖｋと称す）以下になったときに定電流回路２２を作動させて電流制御を行う。さらに、その非常用バッテリ１６の電圧値が予め設定された非常用バッテリ１６の放電終止電圧Ｖ０以下になった場合には停電灯１５に対する電力供給を停止制御するものとする。
【００４６】
図４は本発明の第２の実施形態に係るエレベータの停電灯制御装置の構成を示す回路図であり、図４（ａ）はかご室照明灯回路、同図（ｂ）は停電灯点灯回路を示している。なお、図１と共通の部分には同一符号を付して説明する。ここでは、かご室内に複数個の停電灯１５ａ、１５ｂ…が設置されている場合を想定している。
【００４７】
かご室照明灯点灯回路１の構成については第１の実施形態と同様であり、かご室照明灯１１、照明点灯スイッチ１２ａ、電源１３、停電検出リレー１４からなり、かご室照明灯１１は照明点灯スイッチ１２ａをオンすることで、電源１３からの電力供給を受けて点灯し、また、停電検出リレー１４にてかご室照明灯１１に対する電源１３の電力供給状態が監視されている。
【００４８】
一方、停電灯点灯回路２は、第１の実施形態におけるタイマリレー２１を電圧検出リレー３１に置き換えた構成になっている。この電圧検出リレー３１は、非常用バッテリ１６の放電電圧を監視し、その放電電圧が設定値Ｖｋ以下なったときに停電灯点灯回路２に定電流回路３３ａ、３３ｂ…を接続するように接点３１ａ、３１ｂ…を切り替える。
【００４９】
また、入力電圧が放電終止電圧Ｖ０を上回っている場合にオンしている放電停止リレー３２が電圧検出リレー３１と並列に停電灯点灯回路２に接続されており、この放電停止リレー３２の接点３２ａが停電灯点灯回路２に直列に接続されている。
【００５０】
さらに、複数個の停電灯１５ａ、１５ｂ…が設置されており、これらの停電灯１５ａ、１５ｂ…毎に定電流回路３３ａ、３３ｂ…と、電圧検出リレー３１に連動した接点３１ａ、３１ｂ…が設けられている。
【００５１】
なお、定電流回路３３ａの構成は上記第１の実施形態と同様であり、シェナーダイオード３４ａ、抵抗３５ａ、３６ａ、トランジスタ３７ａからなり、停電灯点灯回路２に印加される電圧を電源として動作し、この電圧値とは無関係に停電灯点灯回路２の回路電流を所定値に制限して、停電灯１５ａをかご室内の乗客が物体を視覚にて認知できる程度つまり暗すぎない程度に点灯させる。
【００５２】
定電流回路３３ｂについても同様の構成であり、シェナーダイオード３４ｂ、抵抗３５ｂ、３６ｂ、トランジスタ３７ｂからなる。
【００５３】
また、このようなシェナーダイオードを用いた構成の他に、例えばＰＷＭ（pulse width modulation）制御によるパルス駆動回路や、電流制限抵抗に置き換えた構成とすることも可能である。
【００５４】
次に、上記構成のエレベータの停電灯制御装置の動作について説明する。
【００５５】
図５は第２の実施形態におけるエレベータの停電灯制御装置の処理動作を示すフローチャートである。
【００５６】
照明点灯スイッチ１２ａの投入に伴い、電源１３により所定の電力がかご室照明灯１１に供給されてかご室照明灯１１が点灯駆動される。ここで、何らかの要因で電源１３の停電が発生すると、かご室照明灯１１が消灯する。そして、このときの状態（つまり無電力供給状態）が停電検出リレー１４によって検出され、停電灯点灯回路２に設けられた接点１４ａが閉じられる。これにより、非常用バッテリ１６を駆動源として、その電力が停電灯１５ａ、１５ｂ…に供給されて、これらの停電灯１５ａ、１５ｂ…が所定の照度で点灯することになる。
【００５７】
停電発生時に非常用バッテリ１６を駆動源として停電灯１５ａ、１５ｂ…が点灯駆動されると、電圧検出リレー３１にそのときの非常用バッテリ１６の放電電圧が入力される。電圧検出リレー３１は、その入力電圧を予め設定された電流制御の基準電圧値である設定値Ｖｋと比較する（ステップＢ１１）。なお、上記設定値Ｖｋは放電終止電圧Ｖ０よりも十分に高い値である。
【００５８】
上記ステップＢ１１での比較の結果、入力電圧が設定値Ｖｋを超えていれば（ステップＢ１１のＹｅｓ）、電圧検出リレー３１はオンし、従来構成と同様の電力供給を行うように接点３１ａ、３１ｂ…を非電流制御側に切り替える（ステップＢ１２）。通常、点灯開始直後は非常用バッテリ１６の容量が十分あるので、このような状態にある。
【００５９】
一方、電圧検出リレー３１と共に設けられた放電停止リレー３２では、入力電圧が放電終止電圧Ｖ０よりも高い状態にあるかどうかを監視している（ステップＢ１３）。
【００６０】
この場合、ステップＢ１２にて電圧検出リレー３１はオンしているときには、入力電圧は放電終止電圧Ｖ０よりも上回っているため（ステップＢ１３のＹｅｓ）、放電停止リレー３２はオンし、その接点３２ａが閉じることにより、停電灯点灯回路２は閉回路を構成する。これにより、非常用バッテリ１６による放電動作（電力供給動作）が継続して行われることになる（ステップＢ１４）。
【００６１】
停電発生後、その時間経過に伴って非常用バッテリ１６の放電電圧が低下して設定値Ｖｋ以下になると（ステップＢ１１のＮｏ）、電圧検出リレー３１はオフし、接点３１ａ、３１ｂ…はそれぞれ定電流回路３３ａ、３３ｂ…側へ切り替わって、停電灯点灯回路２の回路電流が制限される（ステップＢ１５）。
【００６２】
すなわち、バッテリ電圧が設定値Ｖｋ以下になると、接点３１ａ、３１ｂ…の切替えにより、停電灯１５ａ、１５ｂ…毎に設けられた定電流回路３３ａ、３３ｂ…による電流制御機能が働き、非常用バッテリ１６によって停電灯１５ａ、１５ｂ…に供給可能な電流が一定の値に制限されることになる。
【００６３】
定電流回路３３ａ、３３ｂ…により停電灯点灯回路２の回路電流が制限されている間、放電停止リレー３２は停電灯点灯回路２に印加される電圧を入力し、その入力電圧が放電終止電圧Ｖ０よりも高いかどうか監視する（ステップＢ１３）。
【００６４】
上述したように、入力電圧が放電終止電圧Ｖ０を上回っている場合には放電停止リレー３２はオンしており、その接点３２ａが閉じることにより停電灯点灯回路２は閉回路を構成しているが（ステップＢ１４）、入力電圧が放電終止電圧Ｖ０以下になると（ステップＢ１３のＮｏ）、放電停止リレー３２はオフし、接点３２ａの動作により停電灯点灯回路２はオープンとなる。これにより、非常用バッテリ１６による放電動作は停止することになる（ステップＢ１６）。
【００６５】
なお、ステップＢ１１およびステップＢ１３の電圧検出は、検出結果が不安定とならないように適度なヒステリシスを有するものとする。
【００６６】
また、停電が発生していない場合は、停電検出リレー１４の接点１４ａは開放されているため、停電灯点灯回路２には電圧は印加されず、電圧検出リレー３１および放電停止リレー３２は共にオフしている（ステップＢ１１→Ｂ１５→Ｂ１３→Ｂ１６）。
【００６７】
図６は第２の実施形態におけるエレベータの停電灯制御装置の非常用バッテリ１６の放電電圧と経過時間との関係を示す図であり、図中の点線は定電流回路２２を持たない従来構成による特性を示している。
【００６８】
図６に示すように、停電発生時に非常用バッテリ１６の残量が少なくなり、その放電電圧が定格電圧を若干下回った設定値Ｖｋまで低下したタイミングで、定電流回路３３ａ、３３ｂ…による電流制御機能が働いて、停電灯１５ａ、１５ｂ…に対して供給される電流が一定値に抑えられる。したがって、上記第１の実施形態と同様に、常に一定の電力供給を行う従来構成に比べて、停電灯１５ａ、１５ｂ…の照度は落ちるものの、その点灯時間を延長化することができ、停電の復旧が長引いた場合に、かご室内に閉じ込められた乗客の不安感を軽減することができる。
【００６９】
また、非常用バッテリ１６の放電電圧が放電終止電圧Ｖ０以下になった時点で停電灯点灯回路２をオープンとすることで、その放電動作を停止させることができる。したがって、停電発生時に非常用バッテリ１６の放電電圧が低下して停電灯１５ａ、１５ｂ…を点灯させることができない状態での無駄な放電動作を防ぐことができる。これにより、非常用バッテリ１６の過放電による内部劣化を防いで、非常用バッテリ１６の長寿命化を図ることができる。
【００７０】
なお、ここでは複数の停電灯１５ａ、１５ｂ…が設置されている場合を想定して説明したが、上記第１の実施形態のように１つの停電灯１５に対して電流制御を行う構成も可能である。
【００７１】
また、電圧検出リレー３１を上記第１の実施形態で用いたタイマリレー２１に代え、このタイマリレー２１と放電停止リレー３２とを組み合わせて停電灯点灯回路２を構成することでも良い。このような構成によれば、停電灯１５（または複数の停電灯１５ａ、１５ｂ…）が点灯を開始してから所定時間Ｔｋ経過したときに電流制御が行われ、さらに、非常用バッテリ１６の放電電圧が放電終止電圧Ｖ０以下になった時点でその放電動作が停止制御されることになる。
【００７２】
また、上記第１の実施形態のタイマリレー２１と上記第２の実施形態の電圧検出リレー３１とを組み合わせて停電灯点灯回路２を構成することでも良い。このような構成によれば、停電灯１５（または複数の停電灯１５ａ、１５ｂ…）が点灯を開始してから所定時間Ｔｋ経過するか、または、非常用バッテリ１６の放電電圧が所定の基準電圧値である設定値Ｖｋ以下になった時点で電流制御が行われる。また、このような構成にさらに放電停止リレー３２を加えた構成とすれば、非常用バッテリ１６の放電電圧が放電終止電圧Ｖ０以下になった時点でその放電動作が停止制御されることになる。
【００７３】
また、上記第１および第２の実施形態では、停電灯点灯回路２の電流制御の動作をリレーシーケンス回路により行うものとして説明をしたが、ディジタル論理回路により上記同様の制御動作を行うようにすることも可能である。
【００７４】
また、エレベータのかご室に設置された停電灯に限らず、例えばビルの各部屋に設置された停電灯や、電車の各車両に設置された停電灯など、停電発生時にバッテリにて点灯駆動される停電灯であれば、そのすべてに本発明を適用することができる。
【００７５】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７６】
【図１】本発明の第１の実施形態に係るエレベータの停電灯制御装置の構成を示す回路図。
【図２】上記第１の実施形態におけるエレベータの停電灯制御装置の処理動作を示すフローチャート。
【図３】上記第１の実施形態におけるエレベータの停電灯制御装置の非常用バッテリの放電電流と経過時間との関係を示す図。
【図４】本発明の第２の実施形態に係るエレベータの停電灯制御装置の構成を示す回路図。
【図５】上記第２の実施形態におけるエレベータの停電灯制御装置の処理動作を示すフローチャート。
【図６】上記第２の実施形態におけるエレベータの停電灯制御装置の非常用バッテリ１６の放電電圧と経過時間との関係を示す図。
【図７】非常用バッテリを備えたエレベータの停電灯制御装置の従来構成を示す回路図。
【符号の説明】
【００７７】
１…かご室照明灯点灯回路、２…停電灯点灯回路、１１…かご室照明灯、１２ａ…照明点灯スイッチ（かご室照明灯用）、１２ｂ…照明点灯スイッチ（停電灯用）、１３…電源、１４…停電検出リレー、１４ａ…停電検出リレーの接点、１５，１５ａ，１５ｂ…停電灯、１６…非常用バッテリ、２１…タイマリレー、２１ａ…タイマリレーの接点、２２…定電流回路、２３…シェナーダイオード、２４，２５…抵抗、２６…トランジスタ、３１…電圧検出リレー、３１ａ，３１ｂ…電圧検出リレーの接点、３２…放電停止リレー、３２ａ…放電停止リレーの接点、３３ａ，３３ｂ…定電流回路。
【図１】
2005197110.tif 000003
【図２】
2005197110.tif 000004
【図３】
2005197110.tif 000005
【図４】
2005197110.tif 000006
【図５】
2005197110.tif 000007
【図６】
2005197110.tif 000008
【図７】
2005197110.tif 000009